(57)【要約】      （修正有）【課題】持ち運びに便利な小型の芳香用アクセサリでありながら芳香液を入れやすく、部品の紛失を防止できる芳香用アクセサリを提供することであり、かつ、使用者の好みに応じて芳香液の発散を調整できる芳香用アクセサリを提供する。【解決手段】芳香用アクセサリ１が、一定の深さを有する開口５と芳香口８と液溜まり９を有する本体２と、前記本体の前記開口を塞ぐように設けられた蓋３からなり、前記開口は前記蓋と接する面に設けられ、前記芳香口は前記本体の一面に設けられており、前記液溜まりは前記本体内の底部に設けられる。【選択図】図４
2016022179.tif 000002
【特許請求の範囲】
【請求項１】
一定の深さを有する開口と芳香口と液溜まりを有する本体と、前記本体の前記開口を塞ぐように設けられた蓋からなり、  
前記開口は前記蓋と接する面に設けられ、
前記芳香口は前記本体の一面に設けられており、
前記液溜まりは前記本体内の底部に設けられること、
を特徴とする芳香用アクセサリ。
【請求項２】
前記本体に装着される芳香液吸着マットを備えることを特徴とする請求項１に記載の芳香用アクセサリ。
【請求項３】
前記本体に装着される芳香液吸着マットが、前記開口上端から前記液溜まり底部の長さよりも短いことを特徴とする請求項１又は２に記載の芳香用アクセサリ。
【請求項４】
前記芳香口と前記開口と前記液溜まりが前記本体の内部において一連に繋がっていることを特徴とする請求項１〜３のいずれか１項に記載の芳香用アクセサリ。
【請求項５】
前記蓋が前記本体と開閉可能に結合されていることを特徴とする請求項１〜４のいずれか１項に記載の芳香用アクセサリ。
【請求項６】
前記本体において、前記開口を有する面に固定部材が設けられていることを特徴とする請求項１〜５のいずれか１項に記載の芳香用アクセサリ。
【請求項７】
前記芳香液吸着マットが付け替え可能であることを特徴とする請求項１〜６のいずれか１項に記載の芳香用アクセサリ
【請求項８】
前記本体の側面に、孔が１つ乃至複数設けられていることを特徴とする請求項１〜７のいずれか１項に記載の芳香用アクセサリ。
【請求項９】
前記本体の上部に首から吊り下げるための輪状の部材を有することを特徴とする請求項１〜８のいずれか１項に記載の芳香用アクセサリ。
【発明の詳細な説明】
【技術分野】
【０００１】
本発明はアクセサリに関するものである。より具体的には、芳香液の香りをどこでも楽しめ、その効果を得るための小型の芳香用アクセサリに関する。
【背景技術】
【０００２】
芳香液には、嫌な香りを消すことを目的とするものと、香り自体を楽しみ、また香りによりリラックスするなど、その効果を得ることを目的とするものがある。本発明に係る芳香用アクセサリは後者の芳香液に関するものであり、当該芳香液の例としては、香水やアロマに使用されるエッセンシャルオイルやアロマオイルなどが挙げられる。エッセンシャルオイルは精油の意味であって、植物の花、葉、果皮、樹皮、根、種子、樹脂などから抽出した天然の素材であり、アロマオイルについては精油をアルコールや合成香料などで希釈したものと解釈されるのが一般的である。
【０００３】
香りを楽しむ芳香液の使用方法としては、香水であれば通常体の一部や衣服などに直接吹き付けされることが多い。一方、香りから効果を得る芳香液の使用方法としては、エッセンシャルオイルやアロマオイルであれば多様な使用形態があるが、一例として、受け皿に数滴垂らした上でアロマランプなどを使用して利用される。また、近年エッセンシャルオイルやアロマオイルについては認知症予防の効果が知られるようになり、高齢者にも使用されるようになってきた。
【０００４】
しかし、これらの芳香液については、香水であれば、体の一部や衣服などに吹き付けた場合、短時間で蒸発してしまい、長時間香りを保たせることは出来ないという問題点があった。また、エッセンシャルオイルやアロマオイルであれば、持ち運んで使用したいという需要がありながらも受け皿や器具を必要とすることから不便であるという問題点があった。
【０００５】
そこで、特許文献１には、装飾品本体と鎖とからなるペンダントであって、該装飾品本体が上部開口を有し有底となっている容器によって構成され、この容器の上部開口に開閉可能とした蓋を設け、この蓋に鎖を通すリングと容器内外を通ずるピンホールが形成してあり、容器中に香水を浸み込ませる香水吸収体が収めてあることを特徴とするペンダントが開示されている。当該特許文献１に開示された発明は香水について使用するものであるが、エッセンシャルオイル等の芳香液にも使用できる。
しかし、上記構成においては、容器中の香水吸水体に香水を染みこませようとしても、容器上部の開口が小さいために香水をこぼしてしまうという問題があった。また、使用の際には容器の開口に設けられた雌ねじと蓋に設けられた雄ねじを螺合させるが、開口が小さいためにうまく螺合することが出来ずに落としてしまったり、ねじの緩みに気付かずに、外出時に落としてしまうという問題点があった。これらの問題点は特に高齢者が使用する際に顕著である。
また、蓋に設けられたピンホールから徐々に香水が空気中に発散するが、そのピンホールの孔の大きさは蓋の大きさとの都合上小さくならざるを得ず、香りを適切に発散させることが出来なかった。
【先行技術文献】
【特許文献】
【０００６】
【特許文献１】実開平６−３８６２８号公報
【発明の概要】
【発明が解決しようとする課題】
【０００７】
そこで、本発明の目的は持ち運びに便利な芳香用アクセサリでありながら誰でも芳香液を入れやすく、部品の紛失を防止できる芳香用アクセサリを提供することであり、かつ、使用者の好みに応じて芳香液の香りの度合いを適切に長時間提供できる芳香用アクセサリを提供することである。
【課題を解決するための手段】
【０００８】
前記目的を達成するため、本発明の構成は、芳香用アクセサリであって、一定の深さを有する開口と芳香口と液溜まりを有する本体と、前記本体の前記開口を塞ぐように設けられた蓋からなり、前記開口は前記蓋と接する面に設けられ、前記芳香口は前記本体の一面に設けられており、前記液溜まりは前記本体内の底部に設けられることからなる。
また、前記本体に装着される芳香液吸着マットを備えることが好適である。
また、前記本体に装着される芳香液吸着マットが、前記開口上端から前記液溜まり底部の長さよりも短いことが好適である。
また、前記芳香口と前記開口と前記液溜まりが前記本体の内部において一連に繋がっていることが好適である。
また、前記蓋が前記本体と開閉可能に結合されていることが好適である。
また、前記本体において、前記開口を有する面に固定部材が設けられていることが好適である。
また、前記芳香液吸着マットが付け替え可能であることが好適である。
また、前記本体の側面に、孔が１つ乃至複数設けられていることが好適である。
また、前記本体の上部に首から吊り下げるための輪状の部材を有することが好適である。
【０００９】
本発明における芳香用アクセサリは、芳香液の香りをどこでも楽しめ、その効果を得るためのものである。芳香液は、香りを楽しみ、香りの効果を得ることを目的とするものであれば特に限定されないが、例えば香水、エッセンシャルオイル、アロマオイルなどが好適である。なお、香りの効果の例として、気分を高揚、又は落ち着かせることが挙げられる。最近では特にエッセンシャルオイルなどに認知症予防の効果が発見されている。
【００１０】
本発明は、本体の蓋を開いて、一定の深さを有する開口から本体内部に芳香液吸着マットを装着し、開口から芳香液吸着マットに芳香液を数滴垂らし、蓋を閉める。すると、本体に設けられた芳香口から芳香液の香りが本体の外へと漂う、という構造になっている。
また、本発明に係る芳香用アクセサリの本体は、好ましくは芳香液吸着マットへの熱伝導性の高い形状及び素材が採用される。熱伝導性が高い方が芳香液の香りの発散がより効率的に行われるためである。具体的な形状としては平面を有する直方体などの四角柱や三角柱などが好適であるが、熱伝導性を有する限り特に限定されるものではない。また、本体の素材としてはアルミなど熱伝導性の良い金属を用いることが好適である。
【００１１】
また芳香用アクセサリ自体は持ち運びが出来る大きさであることを要する。装着方法としては、ネックレスやペンダントのように首から提げるなどの方法が好適であるが、キーホルダーやチャームのように鞄等に提げて使う等の方法でも良い。
そのため、持ち運びの利便性に鑑み、本体の上端付近の両側面に孔を設け、芳香用アクセサリを首や鞄から吊り下げるための輪状の部材を設けることが好適である。輪状の部材としてはチェーンや革ひもなど一般的に使用されるものが好適である。
【００１２】
本発明に係る芳香用アクセサリには蓋が設けられているが、この蓋は開口を塞ぐためのものである。蓋が外れてしまったり、紛失したりすることがないよう蓋と本体が開閉可能に結合されていることが好適である。結合方法としては、ヒンジ、スライド機構、ねじなど公知の方法が適用される。さらに、蓋が勝手に動いてしまうことを防止するため、本体の蓋と接する面に固定部材が設けられていることが好適である。固定方法としては、本体の蓋の接する面に凸部を設けそれを受けるため蓋に凹部を設ける方法や、ロック機構を設けるなど公知の方法が採用される。
【００１３】
開口は装着された芳香液吸着マットに芳香液を垂らし入れるための受け口としての役割を果たしている。また、開口は芳香液吸着マットを本体に装着する際の入り口としての役割も果たすため、芳香液吸着マットを本体に装着するのに一定の面積を要する。そのため、高齢者であっても芳香液をこぼさずに芳香液吸着マットに垂らすことが可能である。芳香液を垂らし入れる際には開口のある面を上にし、地面に対して水平にした状態で芳香用アクセサリを持つため、受け皿に芳香液を垂らす感覚で極めて容易に芳香液を芳香液吸着マットに垂らすことが可能である。
【００１４】
また開口は、一定の深さを有し本体正面、つまり蓋が接する面に設けられる。この深さ及び内部の形状は芳香液吸着マットを本体に装着することができる限り特に限定されない。また、開口の形状は芳香液吸着マットを装着することが出来、かつ芳香液を垂らしやすいという目的を達成する限り、四角形でも円形でもよい。
【００１５】
芳香口は、本体正面以外の面、つまり開口が設けられていない面に設けられる。これは、開口は蓋によって塞がれるため、開口と同じ面に芳香口が設けられると芳香口まで塞がれてしまい、香りが外へ漂わなくなるためである。また、香りを漂いやすくするためには、芳香口は本体の上端側（開口を正面とした場合の平面側）に、設けられることが好適であるが、側面に設けられても良い。
【００１６】
本発明の芳香用アクセサリは持ち運ぶ際に芳香口を上にして使用されることから、芳香液があふれ出ないよう本体内の底面側に液溜まりが設けられている。この構成により芳香液が開口より溢れ出ることはなく、本体から垂れ出すことを防止している。液溜まりの形状は、本体内の底面側に開口から連通して構成され、芳香液を溜めることが出来る形状であれば特に限定されない。
【００１７】
開口と芳香口と液溜まりは、本体内部において空洞として一連に繋がっていることが好ましい。理由としては、芳香液吸着マットに吸着された芳香液を液溜まりに溜め易くすること、及び芳香液吸着マットに吸着された芳香液の香りは芳香口から発散されるため、開口と芳香口が本体内部において繋がっていた方が無駄なく香りを発散させること、が挙げられる。
【００１８】
芳香液吸着マットは付け替えが可能であり、使用する芳香液によって新しくすることが出来る。芳香液吸着マットは、開口より挿入され、好ましくは液溜まりの底に達するまではめ込まれる。また、芳香液吸着マットは、芳香液（特にエッセンシャルオイル等の油液）を吸着・発散可能な素材であれば、繊維素材や多孔性物質など適宜使用可能であって、特に限定されるものではなく、形態も綿状・板状など特に限定されるものではない。
【００１９】
芳香液吸着マットの大きさは、開口より装着することが出来る大きさであれば、特に限定されない。しかし、芳香液の香りの度合いをより強くしたい場合は、芳香液吸着マットを本体内部にはめ込んだ際に開口が塞がらない程度の大きさ、すなわち開口の深さより薄い厚みを有し、開口上端から液溜まり底部の長さよりも短いことが好ましい。この構成により、芳香口から入った空気が対流・循環しやすくなり、空気の流れが生まれ、より香りやすくなるためである。香りを抑えたい場合には、芳香液吸着マットの大きさを開口が塞がる程度の長さにすれば良い。このように、使用者の好みに応じて芳香吸着マットの長さを変えることで適切な芳香の度合いを得ることが可能である。
【００２０】
さらに、芳香液の香りの度合いを強くしたい場合、本体の側面に孔を１つ乃至数個設けることで可能となる。しかし、その場合には芳香液吸着マットがより多くの外気に晒されるので、芳香液の蒸発は早くなる。
【発明の効果】
【００２１】
本発明は以上の構成からなるので、持ち運びに便利な芳香用アクセサリでありながら誰でも芳香液を入れやすく、部品の紛失を防止できる芳香用アクセサリを提供出来、かつ、使用者の好みに応じて芳香液の香りの度合いを適切に長時間提供できる芳香用アクセサリを提供することが出来るものである。
【図面の簡単な説明】
【００２２】
【図１】本発明に係る芳香用アクセサリの蓋を閉じた状態を示した図である。
【図２】本発明に係る芳香用アクセサリの蓋を開いた状態を示した図である。
【図３】本発明に係る芳香用アクセサリの平面を示した図である。
【図４】本発明に係る芳香用アクセサリのＡ−Ａ断面図である。
【図５】本発明に係る芳香用アクセサリの側面を示した図である。
【発明を実施するための形態】
【００２３】
以下、図面に従って本発明の実施の一例を説明する。なお、図面に表された芳香用アクセサリは実施の１例を示したものに過ぎず、これに限定されるものではない。
【００２４】
図１は本発明に係る芳香用アクセサリの蓋を閉じた図である。芳香用アクセサリ１に蓋３が設けられ、蓋３は本体２と開閉可能に結合されている。蓋３が閉じている状態では、本体２に設けられた開口５は隠れており、これにより芳香液の蒸発の速度を抑え、長時間香りが持続することを実現している。
【００２５】
図２は蓋３を開いた状態を示す図である。蓋３を開くと本体２に設けられた開口５が現れる。開口５を通して本体内部に芳香液吸着マット６を装着し、使用の際には芳香液吸着マット６に芳香液を数滴垂らす。芳香液吸着マット６は本体に設けられた液溜まり９の底部まではめ込まれる。芳香液の香りの度合いを強くしたいときは、開口上端から液溜まり底部の長さよりも短い芳香液吸着マットを用いれば良い。芳香口より入った空気が循環しやすくなり、より香りが外に漂いやすくなるためである。また、本体２には蓋３が勝手に動くのを防止するため、蓋３と接する面に固定部材７が凸状に設けられている。
【００２６】
図３は芳香用アクセサリ１の平面図である。本体２の上部には芳香口８が設けられており、この芳香口８から、芳香液吸着マット６に吸着された芳香液の香りが発散する。
【００２７】
図４は芳香用アクセサリ１のＡ−Ａ断面図である。本体２の内部には液溜まり９が設けられ、芳香液を入れすぎた場合でも芳香液を溜めておくことが出来、外に漏れ出すことを防いでいる。また、蓋３はヒンジ４により本体と開閉可能に結合されている。
【００２８】
図５は芳香用アクセサリ１の側面図であり、本体上部に孔１０が設けられている。この孔は芳香液の香りを発散させると共に、芳香用アクセサリ１を首から吊り下げるための輪状の部材、例えば革ひもを通すことにも使用される。
【符号の説明】
【００２９】
１      芳香用アクセサリ
２      本体
３      蓋
４      ヒンジ
５      開口
６      芳香液吸着マット
７      固定部材
８      芳香口
９      液溜まり
１０    孔
【図１】
2016022179.tif 000003
【図２】
2016022179.tif 000004
【図３】
2016022179.tif 000005
【図４】
2016022179.tif 000006
【図５】
2016022179.tif 000007